(57)【特許請求の範囲】
【請求項１】
歌唱者が選択した楽曲以外の他の楽曲を歌唱推奨楽曲として提示するカラオケシステムにおいて、
前記選択した楽曲について、他の歌唱者の歌唱履歴が所定数以上あるかを判定する判定部と、
前記他の歌唱者の歌唱履歴が存在しない場合を含む、前記他の歌唱者の歌唱履歴が所定数より少ない場合、前記選択した楽曲の楽曲データと類似する楽曲データに相当する楽曲を前記歌唱推奨楽曲として提示し、前記他の歌唱者の歌唱履歴が所定数以上ある場合、前記他の歌唱者の歌唱履歴に含まれる他の楽曲のうち少なくとも一つを前記歌唱推奨楽曲として提示する提示部と、
を有することを特徴とするカラオケシステム。
【請求項２】
前記楽曲データは、複数の情報を含むＭＩＤＩデータであり、
前記提示部は、前記他の歌唱者の歌唱履歴が存在しない場合を含む、前記他の歌唱者の歌唱履歴が所定数より少ない場合、前記選択した楽曲のＭＩＤＩデータに含まれる情報のうち少なくとも一つが一致するＭＩＤＩデータに相当する楽曲を前記歌唱推奨楽曲として提示することを特徴とする請求項１記載のカラオケシステム。
【請求項３】
前記提示部は、前記情報が一致するＭＩＤＩデータが複数ある場合、一致する情報の数が所定数以上のＭＩＤＩデータに相当する楽曲のみを前記歌唱推奨楽曲として提示することを特徴とする請求項２記載のカラオケシステム。
【請求項４】
前記提示部は、前記他の歌唱者の歌唱履歴が所定数以上ある場合、前記他の歌唱者の歌唱履歴に含まれる他の楽曲のうち、所定回数以上歌唱されている楽曲を前記歌唱推奨楽曲として提示することを特徴とする請求項１〜３のいずれか一つに記載のカラオケシステム。
【請求項５】
前記提示部は、前記他の歌唱者の歌唱履歴が所定数以上ある場合、前記他の歌唱者の歌唱履歴に含まれる他の楽曲のうち、前記選択した楽曲の楽曲データと類似する楽曲データに相当する楽曲を前記歌唱推奨楽曲として提示することを特徴とする請求項１〜３のいずれか一つに記載のカラオケシステム。
【発明の詳細な説明】
【技術分野】
【０００１】
本発明は歌唱推奨楽曲を提示するカラオケシステムに関する。
【０００２】
カラオケシステムに登録されている楽曲の数は膨大である。従って、ある楽曲を歌唱した歌唱者が次に歌唱する曲を選択するのに時間を要し、スムーズなカラオケ歌唱ができない場合がある。
【０００３】
そこで、歌唱した楽曲に基づいて、特定の楽曲を歌唱推奨楽曲として提示するレコメンド機能が搭載されたカラオケ装置が普及している。
【０００４】
たとえば、特許文献１には、歌唱者ごとの歌唱履歴から、同一歌唱者に歌われる楽曲の組み合わせ度数を集計し、楽曲毎に組み合わされる度数の高い楽曲を推奨曲として楽曲データベースに保持、当該楽曲を歌唱あるいは情報照会する利用者に「この歌を歌う人は、こんな曲を歌っています」として提示することで、有為な推奨曲を自動的・動的に選出・適切な対象者に提示できる技術が開示されている。
【先行技術文献】
【特許文献】
【０００５】
【特許文献１】特開２０１５−１１０８１号公報
【発明の概要】
【発明が解決しようとする課題】
【０００６】
しかし、歌唱した楽曲が新曲やマイナーな曲の場合、歌唱履歴が他に存在しないという状況がありうる。この場合、従来のカラオケシステムでは、歌唱推奨楽曲を提示できないという問題があった。
【０００７】
本発明の目的は、他の歌唱履歴が存在しない楽曲が選択された場合であっても歌唱推奨楽曲を提示することができるカラオケシステムを提供することにある。
【課題を解決するための手段】
【０００８】
上記目的を達成するための主たる発明は、歌唱者が選択した楽曲以外の他の楽曲を歌唱推奨楽曲として提示するカラオケシステムにおいて、前記選択した楽曲について、他の歌唱者の歌唱履歴が所定数以上あるかを判定する判定部と、前記他の歌唱者の歌唱履歴が所定数より少ない場合、前記選択した楽曲の楽曲データと類似する楽曲データに相当する楽曲を前記歌唱推奨楽曲として提示し、前記他の歌唱者の歌唱履歴が所定数以上ある場合、前記他の歌唱者の歌唱履歴に含まれる他の楽曲のうち少なくとも一つを前記歌唱推奨楽曲として提示する提示部と、を有することを特徴とするカラオケシステムである。
本発明の他の特徴については、後述する明細書及び図面の記載により明らかにする。
【発明の効果】
【０００９】
本発明によれば、他の歌唱履歴が存在しない楽曲が選択された場合であっても歌唱推奨楽曲を提示することが可能となる。
【図面の簡単な説明】
【００１０】
【図１】実施形態に係るカラオケシステムの概略を示す図である。
【図２】実施形態に係るサーバのハードウェア構成例を示す図である。
【図３】実施形態に係るカラオケ装置のハードウェア構成例を示す図である。
【図４】実施形態に係る装置本体のハードウェア構成例を示す図である。
【図５】実施形態に係るカラオケシステムの処理を示すフローチャートである。
【発明を実施するための形態】
【００１１】
後述する明細書及び図面の記載から、上記の主たる発明の他、少なくとも以下の事項が明らかとなる。
【００１２】
前記楽曲データは、複数の情報を含むＭＩＤＩデータであり、前記提示部は、前記他の歌唱者の歌唱履歴が所定数より少ない場合、前記選択した楽曲のＭＩＤＩデータに含まれる情報のうち少なくとも一つが一致するＭＩＤＩデータに相当する楽曲を前記歌唱推奨楽曲として提示するカラオケシステムが明らかとなる。このようなカラオケシステムは、ＭＩＤＩデータの少なくとも一部が一致する楽曲を歌唱推奨楽曲として提示できる。
【００１３】
また、前記提示部は、前記情報が一致するＭＩＤＩデータが複数ある場合、一致する情報の数が所定数以上のＭＩＤＩデータに相当する楽曲のみを前記歌唱推奨楽曲として提示するカラオケシステムが明らかとなる。このようなカラオケシステムは、ＭＩＤＩデータの少なくとも一部が一致する楽曲が複数ある場合、選択された楽曲により似ている楽曲を歌唱推奨楽曲として提示できる。
【００１４】
また、前記提示部は、前記他の歌唱者の歌唱履歴が所定数以上ある場合、前記他の歌唱者の歌唱履歴に含まれる他の楽曲のうち、所定回数以上歌唱されている楽曲を前記歌唱推奨楽曲として提示するカラオケシステムが明らかとなる。このようなカラオケシステムは、他の歌唱者の歌唱履歴に含まれる他の楽曲が複数ある場合に、より歌唱頻度の高い楽曲を歌唱推奨楽曲として提示できる。
【００１５】
前記提示部は、前記他の歌唱者の歌唱履歴が所定数以上ある場合、前記他の歌唱者の歌唱履歴に含まれる他の楽曲のうち、前記選択した楽曲の楽曲データと類似する楽曲データに相当する楽曲を前記歌唱推奨楽曲として提示するカラオケシステムが明らかとなる。このようなカラオケシステムは、他の歌唱者の歌唱履歴に含まれる他の楽曲が複数ある場合に、選択された楽曲により似ている楽曲を歌唱推奨楽曲として提示できる。
【００１６】
＜実施形態＞
図１〜図５を参照して、実施形態に係るカラオケシステム１について説明する。
【００１７】
＝＝システム＝＝
図１に示すように、カラオケシステム１は、サーバ２及びカラオケ装置３を備える。カラオケ装置３は、カラオケ店舗の各カラオケルーム等に設置される。サーバ２とカラオケ装置３とはネットワークＮを介して通信可能となっている。ネットワークＮは、たとえば公衆電話回線網やインターネット回線である。サーバ２からカラオケ装置３にカラオケを行うための楽曲データが送信され、カラオケ装置３が楽曲を演奏することにより、歌唱者はカラオケ歌唱が可能となる。
【００１８】
＝＝サーバ＝＝
サーバ２は、歌唱者やカラオケ装置３等に関する各種情報を蓄積して管理するコンピュータである。図２はサーバ２のハードウェア構成例を示す図である。サーバ２は、制御部２０、通信部２１および記憶部２２を備える。
【００１９】
制御部２０はＣＰＵおよびメモリ（いずれも図示無し）を備える。制御部２０は、サーバ２における各種の制御を行う。通信部２１は、サーバ２とカラオケ装置３とを接続するためのインターフェースを提供する。
【００２０】
記憶部２２は、各種のデータを記憶する大容量の記憶装置である。記憶部２２は、複数の楽曲データを記憶する。楽曲データは、カラオケ装置３によりカラオケ演奏を行うためのデータである。楽曲データは、楽曲毎に所定のＩＤ（楽曲ＩＤ）が付与されている。
【００２１】
楽曲データは、ＭＩＤＩデータ、歌詞データ、リファレンスデータ等が含まれる。ＭＩＤＩデータは、電子楽器の音源を自動演奏させるための自動演奏データ（カラオケ演奏データ）であり、時系列のノート情報によって構成される。
【００２２】
ＭＩＤＩデータは、たとえば（１）キー、（２）メロディ構成（モード、出現音符、特徴等）、（３）ＢＰＭ、（４）コード進行（カノン進行、Ｉ−ＰＯＰ進行等）、（５）使用コード（テンションコード等）、（６）音域（最低音／最高音等）、（７）楽曲尺、（８）拍子、（９）転調（半音上げ／短三度上げ／長二度下げ／平行調／同主調等）といった情報を含んでいる。
【００２３】
歌詞データは、カラオケ楽曲における歌詞テロップを表示装置３０に表示させるための文字列データである。歌詞データは、楽曲毎に予め設定されている。リファレンスデータは、利用者によるカラオケ歌唱を採点する際の基準となるデータであり、ヴォーカルの音高を表す時系列の音高情報によって構成されている。リファレンスデータは歌唱区間毎に設定されている。
【００２４】
また、記憶部２２は、各カラオケ装置３を介して登録された歌唱履歴を記憶する。歌唱履歴は、ある楽曲を歌唱した際にその楽曲を示す情報（楽曲ＩＤ）と歌唱した者を示す情報（歌唱者ＩＤ）とを関連付けたものである。楽曲ＩＤに基づいて歌唱履歴を検索することにより、当該楽曲を歌唱した歌唱者を特定することができる。逆に、歌唱者ＩＤに基づいて歌唱履歴を検索することにより、当該歌唱者が歌唱した楽曲群を特定することができる。
【００２５】
＝＝カラオケ装置＝＝
カラオケ装置３は、カラオケ楽曲の演奏及び歌唱者がカラオケ歌唱を行うための装置である。図３は、カラオケ装置３のハードウェア構成例を示す図である。カラオケ装置３は、装置本体３０、音響処理装置３１、スピーカ３２、表示装置３３、マイク３４、リモコン装置３５を備える。
【００２６】
（装置本体）
装置本体３０は、カラオケ楽曲の演奏制御、歌詞テロップおよび背景映像の表示制御、音響処理装置３１を通じて入力されたマイク３４からの音声信号に基づく歌唱採点の処理等、カラオケ歌唱に関する各種の制御を行う。
【００２７】
図４は装置本体３０のハードウェア構成例を示す図である。装置本体３０は、制御部３０ａ、記憶部３０ｂ、通信部３０ｃを有する。制御部３０ａはＣＰＵおよびメモリ（いずれも図示無し）を備える。ＣＰＵは、メモリに記憶されたプログラムを実行することにより各種の機能を実現する。本実施形態に係る判定部３０１及び提示部３０２は、制御部３０ａのＣＰＵがメモリに記憶されている動作プログラムを実行することにより実現される。
【００２８】
判定部３０１は、選択した楽曲について、他の歌唱者の歌唱履歴が所定数以上あるかを判定する。
【００２９】
たとえば、歌唱者Ｘが楽曲Ａを選択して歌唱した場合、判定部３０１は、楽曲Ａについて他の歌唱者の歌唱履歴が記憶されているかをサーバ２に問い合わせる。サーバ２は、記憶部２２に記憶されている他の歌唱者の歌唱履歴から楽曲Ａが含まれる歌唱履歴を検索し、カラオケ装置３に送信する。判定部３０１は、カラオケ装置３から受信した歌唱履歴の数が所定数以上あるかを判定する。所定数は、予め設定された値を用いてもよいし、都度、変更可能としてもよい。
【００３０】
提示部３０２は、判定部３０１により他の歌唱者の歌唱履歴が所定数より少ないと判定された場合、選択した楽曲の楽曲データと類似する楽曲データに相当する楽曲を歌唱推奨楽曲として提示する。
【００３１】
他の歌唱者の歌唱履歴が所定数よりも少ない場合、選択した楽曲について他の歌唱者が歌唱を行っていないか、行っていたとしてもごく少数である。よって、歌唱履歴に基づいて歌唱推奨楽曲を提示することが難しい。従って、提示部３０２は、サーバ２の記憶部２２（またはカラオケ装置３の記憶部３０ｂ）に記憶されているカラオケ楽曲の中から、選択した楽曲データと類似する楽曲データを抽出し、当該楽曲データに相当する楽曲を歌唱推奨楽曲として提示する。
【００３２】
上述の通り、楽曲データとしてはＭＩＤＩデータがある。そして、ＭＩＤＩデータには、（１）キーや（２）メロディ構成といった様々な情報が含まれている。そこで、提示部３０２は、たとえば、選択した楽曲ＡのＭＩＤＩデータにおけるキーが同じＭＩＤＩデータを抽出する。そして、提示部３０２は、そのＭＩＤＩデータに相当する楽曲を歌唱推奨楽曲として提示する。この例では、特定の情報（キー）が同じかどうかでＭＩＤＩデータを抽出しているが、たとえば、全ての情報のうち、少なくとも一つが同じＭＩＤＩデータを抽出するとしてもよい。類似する楽曲データとは、このように、ＭＩＤＩデータに含まれる情報の少なくとも一つが一致するデータである（同じ楽曲で無い限り、全ての情報が一致することはない）。
【００３３】
なお、たとえば、キーのみが同じＭＩＤＩデータのように、一つの情報が一致する楽曲は複数存在すると考えられる。従って、抽出された全ての楽曲を提示してしまうと歌唱推奨楽曲が膨大になる可能性がありうる。そこで、提示部３０２は、情報が一致するＭＩＤＩデータが複数ある場合、一致する情報の数が所定数以上のＭＩＤＩデータに相当する楽曲のみを歌唱推奨楽曲として提示することでもよい。
【００３４】
たとえば、提示部３０２は、楽曲ＡのＭＩＤＩデータに含まれる情報のうち、一致する情報の数が５つ（所定数の一例。たとえば、（１）キー、（３）ＢＰＭ、（４）コード進行、（６）音域、（８）拍子）以上のＭＩＤＩデータを抽出し、そのＭＩＤＩデータに相当する楽曲のみを歌唱推奨楽曲として提示することもできる。或いは、提示部３０２は、一致する情報が５つのＭＩＤＩデータが１件、３つのＭＩＤＩデータが２件、２つのＭＩＤＩデータが１件、１つのＭＩＤＩデータが１件、抽出された場合、そのうち、上位３つのＭＩＤＩデータ（すなわち、一致する情報が５つのＭＩＤＩデータ及び、３つのＭＩＤＩデータ）に相当する楽曲のみを歌唱推奨楽曲として提示できる。この場合、所定数は、「上位３つ」という閾値となる。
【００３５】
一方、提示部３０２は、判定部３０１により他の歌唱者の歌唱履歴が所定数以上あると判定された場合、他の歌唱者の歌唱履歴に含まれる他の楽曲のうち少なくとも一つを前記歌唱推奨楽曲として提示する。
【００３６】
他の歌唱者の歌唱履歴が所定数以上ある場合、選択した楽曲については、様々な歌唱者により歌唱されている。このような場合、他の歌唱者の歌唱履歴から歌唱推奨楽曲を提示することも可能である。従って、提示部３０２は、サーバ２の記憶部２２（またはカラオケ装置３の記憶部３０ｂ）に記憶されている他の歌唱者の歌唱履歴に含まれる他の楽曲の中から、少なくとも一つの楽曲を抽出し、歌唱推奨楽曲として提示する。
【００３７】
たとえば、楽曲Ａの歌唱履歴を含む他の歌唱者の歌唱履歴Ｈ１〜Ｈ５が記憶部２２に記憶されていたとする。また、歌唱履歴Ｈ１には、楽曲Ａ以外に楽曲Ｂ、Ｃ、Ｄが含まれ、歌唱履歴Ｈ２には、楽曲Ａ以外に楽曲Ｂ、Ｅ、Ｆが含まれ、歌唱履歴Ｈ３には、楽曲Ａ以外に楽曲Ｂ、Ｆ、Ｇが含まれ、歌唱履歴Ｈ４には、楽曲Ａ以外に楽曲Ｂ、Ｃ、Ｅが含まれ、歌唱履歴Ｈ５には、楽曲Ａ以外に楽曲Ｂ、Ｅ、Ｇが含まれているとする。
【００３８】
この場合、提示部３０２は、他の歌唱者の歌唱履歴Ｈ１〜Ｈ５に含まれる他の楽曲Ｂ〜Ｇを抽出し、そのうちの少なくとも一つの楽曲を歌唱推奨楽曲として提示する。
【００３９】
なお、一般的には、他の歌唱者の歌唱履歴が増えれば増えるほど他の楽曲の数も増える傾向にある。従って、抽出された全ての他の楽曲を提示してしまうと歌唱推奨楽曲が膨大になる可能性がありうる。そこで、提示部３０２は、他の歌唱者の歌唱履歴が所定数以上ある場合、他の歌唱者履歴に含まれる他の楽曲のうち、所定回数以上歌唱されている楽曲を歌唱推奨楽曲として提示することも可能である。たとえば、上記例において、提示部３０２は、３回以上（所定回数の一例）歌唱されている楽曲Ｂ及びＥを歌唱推奨楽曲として提示する。或いは、提示部３０２は、全ての歌唱者履歴に含まれる楽曲のみ（上記の例では楽曲Ｂ）を歌唱推奨楽曲として提示することでもよい。
【００４０】
また、提示部３０２は、他の歌唱者の歌唱履歴が所定数以上ある場合、他の歌唱者の歌唱履歴に含まれる他の楽曲のうち、選択した楽曲の楽曲データと類似する楽曲データに相当する楽曲を歌唱推奨楽曲として提示することでもよい。たとえば、上記例において、提示部３０２は、楽曲ＡのＭＩＤＩデータと楽曲Ｂ〜ＧのＭＩＤＩデータとを比較する。そして、提示部３０２は、ＭＩＤＩデータに含まれる情報の少なくとも一つが一致する楽曲のみを歌唱推奨楽曲として提示することも可能である。
【００４１】
歌唱推奨楽曲の提示は、たとえば、楽曲ＩＤ及び楽曲名を表示装置３３やリモコン装置３５のディスプレイ上に表示することにより行うことができる。その際、「楽曲Ａを歌唱した人は以下の楽曲も歌唱しています」（他の歌唱履歴が所定数以上ある場合）、「楽曲Ａを歌った方にはこちらもお勧めです」（他の歌唱履歴が所定数より少ない場合）といったメッセージを併せて表示してもよい。これらのメッセージは、たとえば、記憶部３０ｂに予め記憶されている。
【００４２】
記憶部３０ｂは、各種のデータを記憶する大容量の記憶装置である。記憶部３０ｂは、サーバ２の記憶部２２と同様のデータ、たとえばカラオケ装置３によりカラオケ演奏を行うための楽曲データや歌詞テロップデータ、及び背景画像データを記憶する。カラオケ装置３が楽曲データに基づいて楽曲を演奏することにより、歌唱者はカラオケの歌唱が可能となる。
【００４３】
通信部３０ｃは、装置本体３０とサーバ２とを接続するためのインターフェースを提供する。
【００４４】
（音響処理装置、スピーカ、マイク、リモコン装置）
音響処理装置３１は、カラオケ楽曲の演奏処理、及びマイク３４を通じて入力された音声信号の処理を行う。スピーカ３２は音響処理装置３１からの放音信号に基づいて放音するための構成である。表示装置３３は装置本体３０からの信号に基づいて映像や画像を画面に表示するための構成である。マイク３４は歌唱者の音声をアナログの音声信号に変換して音響処理装置３１に入力するための構成である。リモコン装置３５は、カラオケ装置３に対する各種操作をおこなうための装置である。歌唱者はリモコン装置３５を用いてカラオケ装置３の起動、楽曲の選択等を行うことができる。
【００４５】
＝＝カラオケシステムの動作について＝＝
次に、図５を参照して本実施形態に係るカラオケシステム１の動作の具体例について述べる。図５は、カラオケシステム１の動作例を示すフローチャートである。
【００４６】
歌唱者Ｘが楽曲Ａを選択した場合、判定部３０１は、楽曲Ａについて他の歌唱者の歌唱履歴が記憶されているかをサーバ２に問い合わせる（歌唱履歴の問い合わせ。ステップ１０）。
【００４７】
サーバ２は、記憶部２２に記憶されている他の歌唱者の歌唱履歴から楽曲Ａが含まれる歌唱履歴を検索し、カラオケ装置３に送信する（歌唱履歴の送信。ステップ１１）。
【００４８】
判定部３０１は、ステップ１１で送信された他の歌唱者の歌唱履歴の数が所定数以上あるかを判定する（歌唱履歴の数を判定。ステップ１２）。
【００４９】
所定数以上ある場合（ステップ１３でＹの場合）、提示部３０２は、他の歌唱者の歌唱履歴に含まれる他の楽曲の中から、少なくとも一つの楽曲を抽出し、歌唱推奨楽曲として提示する（歌唱履歴に基づく歌唱推奨楽曲の提示。ステップ１４）。
【００５０】
一方、所定数より少ない場合（ステップ１３でＮの場合）、提示部３０２は、選択した楽曲の楽曲データと類似する楽曲データに相当する楽曲を歌唱推奨楽曲として提示する（楽曲データに基づく歌唱推奨楽曲の提示。ステップ１５）。
【００５１】
このように、本実施形態に係るカラオケシステム１によれば、選択した楽曲について他の歌唱者の歌唱履歴が無い（或いは少ない）場合であっても、楽曲データ（ＭＩＤＩデータ）を利用することで、選択した楽曲と類似する楽曲を抽出することができる。すなわち、本実施形態に係るカラオケシステム１は、他の歌唱履歴が存在しない楽曲が選択された場合であっても歌唱推奨楽曲を提示することが可能となる。一方、選択した楽曲について他の歌唱者の歌唱履歴が十分にある場合、本実施形態に係るカラオケシステム１によれば、他の歌唱者の歌唱履歴に含まれる他の楽曲を歌唱推奨楽曲として提示することが可能となる。
【００５２】
＜その他＞
上記実施形態においては、楽曲を抽出する際に、ＭＩＤＩデータに含まれる情報同士をそのまま比較する例について述べたが楽曲の抽出はこれに限られない。
【００５３】
たとえば、提示部３０２は、選択された楽曲が「ヨナ抜き音階」で作曲された楽曲の場合、他の楽曲のＭＩＤＩデータから「ヨナ抜き音階」の楽曲を特定し、歌唱推奨楽曲として提示することもできる。「ヨナ抜き音階」とは、日本固有の五音音階のことである。たとえば、キーがＣＭａｊｏｒのとき、メロディラインに主音（Ｃ）から四つ目の音（Ｆ）と七つ目の音（Ｂ）が出てこないような音階をいう。
【００５４】
具体的には、提示部３０２は、他の楽曲それぞれについて、ＭＩＤＩデータに含まれるキーから主音を特定する。そして、提示部３０２は、ＭＩＤＩデータに含まれるコード進行に基づき、主音に対してコード進行中に四度と七度があるかどうかを確認することにより、「ヨナ抜き音階」に相当するＭＩＤＩデータを抽出する。提示部３０２は、抽出されたＭＩＤＩデータに相当する楽曲（「ヨナ抜き音階」で作曲された楽曲）を歌唱推奨楽曲として提示する。
【００５５】
また、上記実施形態は、サーバ２が歌唱履歴等を記憶し、カラオケ装置３がその歌唱履歴を利用する例について述べたがこれに限られない。カラオケ装置３（記憶部３０ｂ）が歌唱履歴の記憶等を行う構成とすることも可能である。この場合、カラオケ装置３が本発明における「カラオケシステム」に相当する。また、実施形態では、カラオケ装置３に判定部３０１が備えられており、サーバ２から送信されてくる歌唱履歴の数を判定部３０１が判断して楽曲の抽出を行っているが、判定部３０１をサーバ２に備えさせることも可能である。すなわち、歌唱履歴の数の判断、及び楽曲の抽出をサーバ２で行い、その結果だけをカラオケ装置３に送信してもよい。
【００５６】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００５７】
１  カラオケシステム
２  サーバ
３  カラオケ装置
３０１  判定部
３０２  提示部
【図１】
0006667332.tif 000002
【図２】
0006667332.tif 000003
【図３】
0006667332.tif 000004
【図４】
0006667332.tif 000005
【図５】
0006667332.tif 000006